(57)【要約】【課題】  容易に表示デバイスのホワイトバランスを調整することができる撮像装置を提供する。【解決手段】  撮像手段と、前記撮像手段により得られた画像を表示する第１の表示手段と、前記撮像手段により得られた画像を表示する前記第１の表示手段とは異なる素材からなる第２の表示手段と、前記第１の表示手段の表示特性を調整する指示を入力する指示手段と、前記指示手段の指示に応じて、前記第２の表示手段に、前記第１の表示手段の表示特性に応じた補正を施した指標画像を表示させる表示制御手段を有する。【選択図】  図２
2014204168.tif 000002
【特許請求の範囲】
【請求項１】
撮像手段と、
前記撮像手段により得られた画像を表示する第１の表示手段と、
前記撮像手段により得られた画像を表示する前記第１の表示手段とは異なる素材からなる第２の表示手段と、
前記第１の表示手段の表示特性を調整する指示を入力する指示手段と、
前記指示手段の指示に応じて、前記第２の表示手段に、前記第１の表示手段の表示特性に応じた補正を施した指標画像を表示させる表示制御手段とを有する
ことを特徴とする撮像装置。
【請求項２】
前記第１の表示手段は自発光型の表示手段であることを特徴とする請求項１に記載の撮像装置。
【請求項３】
前記第１の表示手段は、有機ＥＬ表示デバイスであることを特徴とする請求項１に記載の撮像装置。
【請求項４】
前記第２の表示手段は、液晶表示デバイスであることを特徴とする請求項１から３のいずれか１項に記載の撮像装置。
【発明の詳細な説明】
【技術分野】
【０００１】
本発明は、撮像装置に関する。
【背景技術】
【０００２】
従来、撮像装置として、液晶パネルを搭載したデジタルカメラ、携帯電話等が知られている。近年、これらの撮像装置においては、有機ＥＬ表示デバイスを用いたものも実用化されてきている。有機ＥＬ表示デバイスは、使用頻度等に応じて、その表示特性が劣化してきてしまう場合がある。これは、有機ＥＬ素子の電流−電圧（Ｉ−Ｖ）特性の劣化が原因で、Ｉ−Ｖ特性が変化すると駆動トランジスタに流れる電流値が変化し、結果として、発光輝度が変化してしまうのである。
【０００３】
特に、有機ＥＬ素子の、赤色（Ｒ）、緑色（Ｇ）、青色（Ｂ）は、それぞれ使用頻度に応じた輝度の低下度合いが異なる場合もある。たとえば、有機ＥＬ素子の総点灯時間に対して、青色（Ｂ）の有機ＥＬ素子が最も劣化しやすく、次に赤色（Ｒ）の有機ＥＬ素子が劣化しやすく、もっとも劣化しにくいのが緑色（Ｇ）の有機ＥＬ素子である。当然、有機ＥＬ素子の組成にもよるが、このように有機ＥＬ素子の色毎に劣化速度が異なる。
【０００４】
そのため、有機ＥＬ表示デバイスにおいては、使用時間が長くなるにつれて、徐々に色のバランスが崩れてきてしまうという問題があった。
【０００５】
このような問題に対して、たとえば、表示デバイスに使用されている複数の有機ＥＬ素子の発行回数を別々に記憶し、記憶された各有機ＥＬ素子の発光回数の累積値に応じて、入力される映像信号の信号レベルの調整をして、表示パネルのホワイトバランスを調整する技術が提案されている（たとえば、特許文献１）。
【先行技術文献】
【特許文献】
【０００６】
【特許文献１】特開２００５−０１０２２７号公報
【発明の概要】
【発明が解決しようとする課題】
【０００７】
しかしながら、特許文献１に開示された従来技術では、各有機ＥＬ素子の発行回数の累積値をカウントするために、回路規模の増大、コストの増大などが発生してしまうという問題がある。
【０００８】
そこで、本発明は、容易に表示デバイスのホワイトバランスを調整することができる撮像装置を提供することを目的とする。
【課題を解決するための手段】
【０００９】
このような目的を達成するために、本発明の撮像装置は、撮像手段と、前記撮像手段により得られた画像を表示する第１の表示手段と、前記撮像手段により得られた画像を表示する前記第１の表示手段とは異なる素材からなる第２の表示手段と、前記第１の表示手段の表示特性を調整する指示を入力する指示手段と、前記指示手段の指示に応じて、前記第２の表示手段に、前記第１の表示手段の表示特性に応じた補正を施した指標画像を表示させる表示制御手段を有することを特徴とする。
【発明の効果】
【００１０】
本発明によれば、容易に表示デバイスのホワイトバランスを調整することができる。
【図面の簡単な説明】
【００１１】
【図１】本実施例の撮像装置の構成を示す図である。
【図２】本実施例の撮像装置の動作を示すフロー図である。
【図３】本実施例のユーザインタフェースの例を示す図である。
【図４】有機ＥＬ素子のブライト補正値−輝度補正量の関係を示す特性データである。
【図５】点灯時間−最大ブライト補正値の関係を示す特性データである。
【発明を実施するための形態】
【００１２】
以下、図面を参照して本発明の実施例を詳細に説明するが、この発明は以下の実施の形態に限定されない。なお、以下の実施の形態は特許請求の範囲に係る発明を限定するものでなく、また実施の形態で説明されている特徴の組み合わせの全てが発明の解決手段に必須のものとは限らない。
【００１３】
なお、本実施例において説明される各機能ブロックは必ずしも個別のハードウェアである必要はない。すなわち、例えばいくつかの機能ブロックの機能は、１つのハードウェアにより実行されても良い。また、いくつかのハードウェアの連係動作により１つの機能ブロックの機能または、複数の機能ブロックの機能が実行されても良い。また、各機能ブロックの機能は、ＣＰＵがメモリ上に展開したコンピュータプログラムにより実行されても良い。
【００１４】
（実施例１）
本実施例では、撮像装置を例にとって説明するが、第１の表示部と、第２の表示部（複数の表示部）を有する装置であればどのような装置でも良い。たとえば、携帯電話、スマートフォン、タブレット型情報端末、ノート型情報端末、等であってもよい。
【００１５】
本実施例の撮像装置は、撮像部、第１の表示部、第２の表示部、を少なくとも有する。第１の表示部、第２の表示部は、異なる素材で構成されており、表示制御部は、第１の表示部の表示特性を調整する指示を入力する指示に応じて、第２の表示部に、第１の表示部の初期状態の色の特性を再現する補正を施した指標画像を表示させる。
【００１６】
このような構成とすることで、本実施例の撮像装置は、容易に表示デバイスのホワイトバランスを調整することができる。
【００１７】
以下、このような撮像装置について説明する。
【００１８】
＜全体構成＞
まず、図１を用いて、本実施例の撮像装置１００の構成を説明する。
【００１９】
本実施例の撮像装置１００は、図１に示すように、ＣＰＵ１０１と、ＲＡＭ１０２と、ＲＯＭ１０３と、操作部１０４とを有する。また、撮像装置１００は、撮像部１１０と、画像処理部１１１と、マイクユニット１２０と、音声処理部１２１と、スピーカユニット１２２とを有する。また、撮像装置１００は、符号化復号化処理部１３０と、有機ＥＬ表示部１４０と、第１の表示制御部１４１と、記録再生部１５０と、記録媒体１５１と、通信部１６０と、液晶ＥＶＦ１７０と、第２の表示制御部１７１とを有する。
【００２０】
なお、ＣＰＵは、Ｃｅｎｔｒａｌ  Ｐｒｏｃｅｓｓｉｎｇ  Ｕｎｉｔの略称である。ＲＡＭは、Ｒａｎｄｏｍ  Ａｃｃｅｓｓ  Ｍｅｍｏｒｙの略称である。ＲＯＭは、Ｒｅａｄ  Ｏｎｌｙ  Ｍｅｍｏｒｙの略称である。
【００２１】
本実施例の撮像装置１００において、ＣＰＵ１０１は、ＲＡＭ１０２をワークメモリとしてＲＯＭ１０３に記録された各種プログラムをＲＡＭ１０２に展開し、プログラムに応じて撮像装置１００の各ブロックを制御する。操作部１０４は、例えば、電源ボタン、記録ボタン、ズーム調整ボタン、オートフォーカスボタン、メニュー表示ボタン、モード切替スイッチ、決定ボタン等の各種操作を入力するスイッチ類を有する。また、カーソルキー、ポインティングデバイス、タッチパネル、ダイヤル等のどのようなタイプの操作子であってもよい。操作部１０４は、ユーザによりこれらのキーやボタン、タッチパネルが操作されるとＣＰＵ１０１に操作信号を送信する。操作部１０４の各操作部材は、表示部に表示される種々の機能アイコンを選択操作することなどにより、場面ごとに適宜機能が割り当てられ、各種機能ボタンとして作用する。機能ボタンとしては、例えば終了ボタン、戻るボタン、画像送りボタン、ジャンプボタン、絞込みボタン、属性変更ボタン等がある。例えば、メニューボタンが押されると各種の設定可能なメニュー画面が表示部に表示される。利用者は、表示部に表示されたメニュー画面と、上下左右の４方向ボタンやＳＥＴボタンとを用いて直感的に各種設定を行うことができる。なお、操作部１０４は、表示部に対する接触を検知可能なタッチパネルであってもよい。タッチパネルは、抵抗膜方式や静電容量方式、表面弾性波方式、赤外線方式、電磁誘導方式、画像認識方式、光センサ方式等、様々な方式のタッチパネルのうちいずれの方式のものを用いても良い。
【００２２】
撮像部１１０は、レンズにより取り込まれた被写体の光学像を、絞りにより光量を制御して、ＣＣＤセンサやＣＭＯＳセンサ等の撮像素子により画像信号に変換し、得られたアナログ画像信号をデジタル画像信号に変換して一時的にＲＡＭ１０２に記憶する。ＲＡＭ１０２に記憶されたデジタル画像信号は、その後、画像処理部１１１に送信される。画像処理部１１１は、デジタル画像信号のホワイトバランスや色、明るさなどをユーザに設定された設定値や画像の特性から自動的に判定した設定値に基づいて調整する画質調整処理を行い、処理をしたデジタル画像信号を再びＲＡＭ１０２に記憶する。また、画質調整処理済みまたは未処理のデジタル画像信号を、後述の第１の表示制御部１４１、第２の表示制御部１７１に送信し、有機ＥＬ表示部１４０、液晶ＥＶＦ１７０に撮像中の画像として表示することもできる。また、再生時においては、画像処理部１１１は、記録媒体１５１から記録再生部１５０によって読出され、符号化復号化処理部１３０において復号化された静止画ファイルや動画ファイルに含まれる画像データの画質調整等を行う。そして、画質調整済みまたは未処理のデジタル画像信号を、後述の第１の表示制御部１４１、第２の表示制御部１７１に送信し、有機ＥＬ表示部１４０、液晶ＥＶＦ１７０に画像として表示することもできる。
【００２３】
符号化復号化処理部１３０では、記録時においては、画像処理部１１１により処理されＲＡＭ１０２に記憶されたデジタル画像信号に対して、画像圧縮処理を行い、圧縮された動画データや静止画データを生成し、ＲＡＭ１０２に一時的に記憶する処理を行う。また、再生時においては、記録媒体１５１から読出された画像ファイルの圧縮された動画データや静止画データを復号してデジタル画像信号を抽出し、ＲＡＭ１０２に記憶していく処理を行う。
【００２４】
たとえば、動画データを生成する際は、動画データの各フレームをフレーム内符号化して圧縮符号化された動画データを生成する。また、動画データの複数のフレーム間での差分や動き予測などを利用して圧縮符号化された動画データを生成してもよい。たとえばＭｏｔｉｏｎＪＰＥＧ、ＭＰＥＧ、ＭＰＥＧ２、Ｈ．２６４（ＭＰＥＧ４−Ｐａｒｔ１０  ＡＶＣ）、Ｈ．２６５／ＨＥＶＣ等の様々な公知の圧縮符号化方式の動画データを生成することができる。一般に、フレーム内符号化されたフレーム画像データをＩピクチャと呼び、前方のフレームとの差分を用いてフレーム間符号化された画像データをＰピクチャと呼び、前方後方のフレームとの差分を用いてフレーム間符号化された画像データをＢピクチャと呼ぶ。これらの圧縮方式は、公知の方式を用いており、本発明の特徴とは関係ないので説明を省略する。また、静止画データを生成する際には、ＪＰＥＧ、Ｈ．２６５／ＨＥＶＣの静止画プロファイル等の一般的な圧縮符号化方式を用いるが、これらの圧縮符号化方式は、公知の方式を用いており、本発明の特徴とは関係ないので説明を省略する。なお、静止画データについては、撮像部１１０により得られたデジタル画像信号をそのまま記録する、いわゆるＲＡＷ画像データとしてもよい。
【００２５】
マイクユニット１２０は、たとえば、撮像装置１００のハウジング内に内蔵された無指向性のマイクとＡＤ変換部を有する。マイクユニット１２０では、マイクにより周囲の音声を集音（収音）し、取得したアナログ音声信号をＡＤ変換部で、デジタル信号に変換してＲＡＭ１０２に一時的に記憶させる。ＲＡＭ１０２に記憶されたデジタル音声信号は、その後、音声処理部１２１に送信される。音声処理部１２１では、記録時においては、ＲＡＭ１０２に記憶されたデジタル音声信号の、レベルの適正化処理や雑音低減処理等の処理を行い、処理をしたデジタル音声信号を再びＲＡＭ１０２に記憶する。また、必要に応じて、音声信号を圧縮する処理を行う。音声圧縮方式については、ＡＣ３、ＡＡＣ等の公知の一般的な音声圧縮方式を用いているため説明を省略する。また、再生時においては、記録媒体１５１から記録再生部１５０によって読出された音声ファイルや動画ファイルに含まれる圧縮音声データ復号する処理や音声レベルの適正化処理、なども行い、順次ＲＡＭ１０２に記憶する処理も行う。スピーカユニット１２２は、スピーカとＤＡ変換部とを有する。スピーカユニット１２２では、音声処理部１２１によりＲＡＭ１０２に記憶されたデジタル音声信号を読出してアナログ音声信号に変換し、アナログ音声信号によりスピーカから音声を出力する。
【００２６】
有機ＥＬ表示部１４０は、有機ＥＬ素子で構成された有機ＥＬ表示デバイス等の、自発光型の表示部であって、第１の表示制御部１４１の制御により画像を表示する。本実施例では、有機ＥＬ表示部１４０は、有機ＥＬ素子で構成されたものとしたが、ＬＥＤディスプレイなどであってもよい。第１の表示制御部１４１は、画像処理部１１１により処理され、ＲＡＭ１０２に記憶されたデジタル画像信号に基づいて、有機ＥＬ表示部１４０に画像を表示する。第１の表示制御部１４１は、入力されたデジタル画像信号を輝度・色差信号からＲＧＢ信号に変換し、Ｒ、Ｇ、Ｂに対して個別にオフセットを与えるオフセット制御を行う。このオフセット値は、撮像装置１００の使用中において、ユーザの操作に基づいてＣＰＵ１０１が値を決定して設定することができる。また、ルックアップテーブルなどを有し、入力されたＲ、Ｇ、Ｂそれぞれの値に応じて、出力するＲ、Ｇ、Ｂの値を設定してもよい。なお、第１の表示制御部１４１は、ＲＧＢ信号以外のカラー信号を処理できるような構成であってもよい。
【００２７】
液晶ＥＶＦ１７０は、液晶素子とバックライトとからなる液晶表示デバイスからなる電子ビューファインダーであって、第２の表示制御部１７１の制御により画像を表示する。第２の表示制御部１７１は、画像処理部１１１により処理され、ＲＡＭ１０２に記憶されたデジタル画像信号に基づいて、液晶ＥＶＦ１４０に画像を表示する。第２の表示制御部１７１は、液晶ＥＶＦ１７０の液晶の各画素に表示するべきデジタル画像信号に応じた電圧を印加して画像を形成させ、バックライトの明るさについても制御することができる。バックライトの明るさの制御方法は、たとえば電圧値を変更したり、電流値を変更したり、ＰＷＭ制御によりデューティー比を変更したりしてもよい。なお、ＣＰＵ１０１からの指示により、第１の表示制御部１４１、第２の表示制御部１７１は、それぞれ、有機ＥＬ表示部１４０および液晶ＥＶＦ１７０への画像表示のＯＮ／ＯＦＦを制御することもできる。また、第２の表示制御部１７１は、入力された画像信号のクロマゲイン調整、輝度ゲイン調整、色相回転調整、色相ゲイン調整の処理を行い、画像信号を輝度・色差信号からＲＧＢ信号に変換する処理も行う。なお、輝度・色差信号からＲＧＢ信号に変換する際に、変換係数を変えることで色空間を変えることができる。また、第２の表示制御部１７１は、ＲＧＢ信号に変換した信号に対して、ガンマ補正、ブライト調整、コントラスト調整の処理を行う。
【００２８】
本実施例の撮像装置１００において、有機ＥＬ表示部１４０と液晶ＥＶＦ１７０とは、素材が異なることが特徴の一つである。さらに言えば、液晶ＥＶＦ１７０は、有機ＥＬ表示部１４０よりも劣化しにくい素材であることも特徴の一つである。また、液晶ＥＶＦ１７０と有機ＥＬ表示部１４０とを比較すると、色再現範囲が異なることも特徴の一つである。一般的には、液晶表示デバイスと、有機ＥＬ表示デバイスとを比較すると、色再現範囲が異なる。具体的には、液晶表示デバイスは、ＮＴＳＣ規格比で７０％の色再現性を有し、有機ＥＬ表示デバイスは、ＮＴＳＣ規格比で１００％を超える色再現性を有する。このように、本実施例の撮像装置１００においては、素材が異なり色再現性が異なる複数の表示部が備えられていることも特徴の一つである。
【００２９】
また、第１の表示制御部１４１、第２の表示制御部１７１は、それぞれ、ＲＡＭ１０２に記憶された画質パラメータ（調整値）に基づいて、それぞれ入力された画像の変換、処理を行っている。
【００３０】
記録再生部１５０では、動画記録時においては、ＲＡＭ１０２に記憶されている、符号化復号化処理部１３０により生成された圧縮動画データ及び、音声処理部１２１で生成された音声データ、撮影日等の各種情報とともに、動画ファイルとして記録媒体１５１に書き込む。また静止画記録時においては、ＲＡＭ１０２に記憶されている静止画データを撮影日等の各種情報とともに静止画ファイルとして記録媒体１５１に記録する。動画ファイルを記録媒体１５１に記録する際は、圧縮動画データと音声データとからなるデータストリームを形成し、順次記録媒体１５１に記録していき、ファイルヘッダ等を付加してＦＡＴやｅｘＦＡＴ等のファイルフォーマットに適合した形で動画ファイルを記録媒体に記録する。また、再生時においては、記録媒体１５１に記録された動画ファイルや静止画ファイルを前述のファイルフォーマットに従って読出す。読出された動画ファイルや静止画ファイルは、ＣＰＵ１０１によりヘッダが解析され、圧縮された動画データ、静止画データが抽出される。抽出された圧縮動画データ、静止画データは、ＲＡＭ１０２に記憶されて、符号化復号化処理部１３０により復号される。
【００３１】
また、記録媒体１５１は、撮像装置に内蔵された記録媒体でも、取外し可能な記録媒体でもよい。例えば、ハードディスク、光ディスク、光磁気ディスク、ＣＤ−Ｒ、ＤＶＤ−Ｒ、磁気テープ、不揮発性の半導体メモリ、フラッシュメモリ、などのあらゆる方式の記録媒体を含む。取り外し可能な記録媒体を用いる場合には、記録再生部１５０は、それらの取り外し可能な記録媒体を装着、排出するための機構を含む。
【００３２】
また、通信部１６０は、撮像装置１００とは異なる外部装置との間で、制御信号や動画ファイル、静止画ファイル、各種データ等を送受信するものであり、有線接続、無線接続を問わず接続可能である。なお、通信方式はどのような方式であっても良い。
【００３３】
ここで、前述の画像処理部１１１、音声処理部１２１、符号化復号化処理部１３０、第１の表示制御部１４１、記録再生部１５０、第２の表示制御部１７１は、それぞれ、前述の各機能を実行するプログラムを搭載したマイクロコンピュータであってもよい。また、ＣＰＵ１０１がＲＯＭ１０３に記録された前述の処理を実行する為のプログラムをＲＡＭ１０２に展開して実行するようにしてもよい。
【００３４】
なお、本実施例の撮像装置１００は、一例として、「ＱｕｉｃｋＴｉｍｅ（登録商標）フォーマット」で動画ファイルを記録するものとするが、どのようなフォーマットであっても良い。
【００３５】
なお、本実施例では記録媒体１５１のファイル管理システムは組み込み機器で一般的に使用されているＦＡＴファイルシステムを使用するものとして説明をする。ＦＡＴファイルシステムの技術自体は広く公知であるので、本実施例の特徴的な動作でのみその説明をする。また、ＦＡＴファイルフォーマットであるＮＴＦＳフォーマットやｅｘＦＡＴフォーマットなどを用いても良い。
【００３６】
＜基本動作＞
次に、本実施例の撮像装置１００の動作について説明する。
【００３７】
本実施例の撮像装置１００において、ＣＰＵ１０１は、ユーザによって操作部１０４が操作され電源を投入する指示が捜査部１０４から入力されると、不図示の電源供給部を撮像装置１００の各ブロックに電源を供給するように制御する。
【００３８】
次に、ＣＰＵ１０１は、操作部１０４により設定された撮像装置１００のモードが、再生モードであるか、静止画記録モード、動画記録モードであるかを判定する。
【００３９】
まず、動画記録モードについて説明する。
【００４０】
操作部１０４により設定されたカメラのモードが、動画記録モードである場合、ＣＰＵ１０１は、撮像装置１００の各ブロックを制御し、以下の動作を実行させる。
【００４１】
まず、撮像部１１０は、得られたデジタル画像信号をＲＡＭ１０２に送信し、一時的に記憶させる。次に、画像処理部１１１は、設定された撮影設定に従って、ＲＡＭ１０２に記憶されたデジタル画像信号に、前述の各種画質調整処理を行い、処理をしたデジタル画像信号を再びＲＡＭ１０２に記憶する。また、第１の表示制御部１４１は、ＲＡＭ１０２に記憶された処理済みのデジタル画像信号または未処理のデジタル画像信号を読み出して有機ＥＬ表示部１４０に表示させる。
【００４２】
すなわち、操作部１０４から動画記録開始の指示が入力されるまでは、有機ＥＬ表示部１４０に撮像部１１０により撮像された画像に基づく画像が表示される。
【００４３】
次に、操作部１０４から動画記録開始の指示が入力されると、撮像部１１０は、得られたデジタル画像信号をＲＡＭ１０２に送信し、一時的に記憶させる。次に、画像処理部１１１は、設定された撮影設定に従って、ＲＡＭ１０２に記憶されたデジタル画像信号に、前述の各種画質調整処理を行い、処理をしたデジタル画像信号を再びＲＡＭ１０２に記憶する。また、第１の表示制御部１４１は、ＲＡＭ１０２に記憶された処理済みのデジタル画像信号または未処理のデジタル画像信号を読み出して有機ＥＬ表示部１４０に表示させる。さらに、符号化復号化処理部１３０は、画像処理部１１１によって処理されたデジタル画像信号を動画データとして符号化するための符号化処理を行う。例えば、符号化処理としては、ＭｏｔｉｏｎＪＰＥＧ、ＭＰＥＧ、Ｈ．２６４（ＭＰＥＧ４−Ｐａｒｔ１０  ＡＶＣ）、Ｈ．２６５／ＨＥＶＣ等の様々な公知の圧縮符号化方式処理がある。
【００４４】
また、音声処理部１２１は、マイクユニットから入力されたデジタル音声信号に対して種々の調整処理を適用し、処理をしたデジタル音声信号を再びＲＡＭ１０２に記憶する。さらに、必要に応じて、予め設定された音声用の符号化方式に従って符号化処理を実行し、得られた符号化された音声データをＲＡＭ１０２に記憶させる。なお、以後の説明では、音声データについては説明を省略するが、動画データとともに処理されるものとする。
【００４５】
次に、記録再生部１５０は、ＲＡＭ１０２に一時記憶されている符号化済みの動画データを、記録媒体１５１のファイルシステムに適合する動画ファイルとして記録する。また、ＣＰＵ１０１により生成された必要な管理情報を動画ファイルに含めて記録する。
【００４６】
ＣＰＵ１０１は、動画記録終了の指示が入力されるまでは、これら一連の処理を撮像装置１００の各ブロックに実行させる。
【００４７】
次に、操作部１０４から動画記録終了の指示が入力されると、符号化復号化処理部１３０は、記録終了の指示が入力されるまでのデジタル画像信号を符号化し終わるまで動作し、その後動作を終了する。また、記録再生部１５０も、ＲＡＭ１０２に一時記憶されている符号化済みの動画データを記録媒体１５１に記録し終わるまで動作し、その後、動作を終了する。それ以外の撮像部１１０、画像処理部１１１、有機ＥＬ表示部１４０、第１の表示制御部１４１、は動作を継続する。
【００４８】
以上のように、本実施例の撮像装置１００は、動画記録モードにおいて動画ファイルを記録媒体１５１に記録してゆく。
【００４９】
次に、再生モードについて、説明する。
【００５０】
操作部１０４により再生モードが設定されると、ＣＰＵ１０１は、再生状態に移行させるように制御信号を撮像装置１００の各ブロックに送信し、以下のような動作をさせる。
【００５１】
記録再生部１５０は、記録媒体１５１に記録された、符号化された動画データと符号化された音声データとからなる動画ファイルを読み出す。ＣＰＵ１０１は読み出された符号化された動画データと符号化された音声データとを、ＲＡＭ１０２にバッファする。そして、ＣＰＵ１０１は、符号化された動画データを復号するように符号化復号化処理部１３０を制御する。また、ＣＰＵ１０１は、符号化された音声データを復号するように音声処理部１２１を制御する。
【００５２】
そして、ＣＰＵ１０１は、符号化復号化処理部１３０によって復号された動画データの各フレームデータを第１の表示制御部１４１に送り、有機ＥＬ表示部１４０に各フレームの画像を表示させる。また、音声処理部１２１で、復号された音声データをスピーカユニット１２２に送信し、音声データに対応する音声を出力させる。
【００５３】
以上のように、本実施例の撮像装置１００は、再生モードにおいて動画ファイルを再生して、動画ファイルの動画データに基づく画像を有機ＥＬ表示部１４０に表示する。
【００５４】
なお、本実施例では、有機ＥＬ表示部１４０に画像を表示する例について説明したが、同じように、液晶ＥＶＦ１７０に画像を表示してもよい。
【００５５】
＜画質調整動作＞
ここで、本実施例の特徴的な動作について説明する。
【００５６】
本実施例の撮像装置１００は、不図示のタイマにより、撮像装置１００の総使用時間または、有機ＥＬ表示部１４０の総使用時間をカウントし、不揮発性メモリに記録している。また、ＲＯＭ１０３には、有機ＥＬ素子のブライト補正値−輝度補正量の関係を示す特性データ（図４に例を示す）、および、点灯時間−最大ブライト補正値の関係を示す特性データ（図５に例を示す）、が格納されている。有機ＥＬ素子のブライト補正値−輝度補正量の関係を示す特性データは、ユーザにより設定された青色（Ｂ）のブライト補正値に対して、各色の有機ＥＬ素子の輝度補正量をどの程度にするかを示すものである。また、点灯時間−最大ブライト補正値の関係を示す特性データは、有機ＥＬ表示部１４０の使用時間に対して、青色（Ｂ）のブライト補正値の最大値を示すものである。すなわち、青色（Ｂ）のブライト補正値が、現在の使用時間に対応する最大値を超える場合は、ユーザがカラーバランス調整において過補正を行った可能性があることが分かる。
【００５７】
本実施例の撮像装置１００は、前述した各記録モード、再生モードにおいて、ユーザが操作部１０４を操作して、画質調整モードに設定した場合、ＣＰＵ１０１は、撮像装置１００の各ブロックを制御して、以下の動作を行わせる。
【００５８】
図２は、本実施例の撮像装置１００の画質調整モードにおける動作を説明するためのフロー図である。図２のフロー図は、画質調整モードに設定されたときをスタートとするフロー図であり、ＣＰＵ１０１がＲＡＭ１０２に展開したプログラムに基づいて、撮像装置１００の各ブロックを制御することにより、実行される処理である。
【００５９】
ＣＰＵ１０１は、画質調整モードに設定されると、液晶ＥＶＦ１７０のＯＮ／ＯＦＦ状態を判定する（Ｓ２０１）。液晶ＥＶＦ１７０に画像を表示する状態でなければ（Ｓ２０１でＯＦＦの場合、）、ＣＰＵ１０１は、液晶ＥＶＦ１７０に画像を表示するように第２の表示制御部１７１を制御し（Ｓ２０２）、その後、処理をＳ２０３に移行する。一方、液晶ＥＶＦ１７０に画像を表示する状態でなければ（Ｓ２０１でＯＦＦの場合、）、ＣＰＵ１０１は、処理をＳ２０３に移行する。
【００６０】
次に、ＣＰＵ１０１は、液晶ＥＶＦ１７０の画質調整パラメータを変更するように第２の表示制御部１７１を制御する。具体的には、有機ＥＬ表示部１４０の初期状態における所定の色を再現するための画質調整パラメータをＲＯＭ１０２から読みだして、第２の表示制御部１７１に変更する。この画質調整パラメータを使用することで、第２の表示制御部１７１は、液晶ＥＶＦ１７０に、有機ＥＬ表示部１４０の初期状態の所定の色を再現させることができる。ここで、所定の色とは、たとえば、肌色、記憶色である。また、たとえば白と他の色とのバランス（ホワイトバランス）を再現してもよい。
【００６１】
なお、画質調整モードでない場合、第１の表示制御部１４１、第２の表示制御部１７１は、それぞれ有機ＥＬ表示部１４０、液晶ＥＶＦ１７０をそれぞれ、いわゆるマスターモニタのカラーバランスに近いバランスになるように画質を調整している。すなわち、有機ＥＬ表示部１４０の初期状態においては、有機ＥＬ表示部１４０における肌色と、グレー画像の色のバランスが、マスターモニタ上の肌色とグレー画像の色のバランスに近いバランスになるように画質調整パラメータが設定されている。また、液晶ＥＶＦ１７０においても、液晶ＥＶＦ１７０における肌色と、グレー画像の色のバランスが、マスターモニタ上の肌色とグレー画像の色のバランスに近いバランスになるように画質調整パラメータが設定されている。
【００６２】
すなわち、Ｓ２０３では、液晶ＥＶＦ１７０の画質調整パラメータを通常のパラメータから、有機ＥＬ表示部１４０の初期状態における特定の色を再現することができるパラメータに設定するのである。このようにすることで、ユーザは、液晶ＥＶＦ１７０に表示された画像と、有機ＥＬ表示部１４０に表示された画像とを見比べながら、画質調整を行い、有機ＥＬ表示部１４０の画質調整を行うことができる。
【００６３】
次に、ＣＰＵ１０１は、有機ＥＬ表示部１４０と、液晶ＥＶＦ１７０に、カラーバランス調整用のユーザインタフェースを表示するように第１の表示制御部１４１、第２の表示制御部１７１を制御する（Ｓ２０４）。カラーバランス調整用のユーザインタフェースは、たとえば、図３示すようなものがある。図３に示すように、ユーザインタフェースには、赤色（Ｒ）の調整領域と、青色（Ｂ）の調整領域とが表示され、各調整領域上に表示されているポインタの位置を、ユーザが操作部１０４を操作して移動させことができる。また、ユーザインタフェース画像とともに、カラーチャート、サンプル画像が同時に表示される。
【００６４】
ユーザインタフェース上の各調整領域上に表示されているポインタの位置を、ユーザが操作部１０４を操作して移動させると、ＣＰＵ１０１は、各ポインタの位置に応じて、第１の表示制御部１４１の画質調整パラメータを変更する（Ｓ２０５）。ＣＰＵ１０１は、画質調整パラメータに応じて、第１の表示制御部１４１における、ＲＧＢ信号に対するオフセット値を設定することができる。本実施例では、赤色（Ｒ）の調整領域を用いて赤色成分のブライト値、青色（Ｒ）の調整領域を用いて青色成分のブライト値をそれぞれ調整することができる。
【００６５】
ここで、液晶ＥＶＦ１７０の画質調整パラメータは、有機ＥＬ表示部１４０の初期状態における特定の色を再現することができるパラメータに設定されている。そのため、液晶ＥＶＦ１７０に表示された、カラーチャート、サンプル画像は、有機ＥＬ表示部１４０の初期状態の特定の色が再現されている。ユーザは液晶ＥＶＦ１７０に表示されたこれらの指標画像を確認しながらユーザインタフェースを操作することで、色の調整を行う。
【００６６】
次に、ＣＰＵ１０１は、別のモードへの移行、電源オフ等の指示により画質調整モードを終了する指示が入力されたか否かを判定（Ｓ２０６）し、終了する指示が入力されるまではＳ２０５の処理を繰り返す。ＣＰＵ１０１は、終了する指示が入力されると、次に、ユーザにより調整された色バランスの調整結果に基づいて、有機ＥＬ表示部１４０の輝度を補正が適切であるかを判定する（Ｓ２０７）。
【００６７】
そのためにまず、ＣＰＵ１０１は、図５に示した点灯時間−最大ブライト補正値の関係を示す特性データに基づいて、不図示のタイマによってカウントされた撮像装置１００の総使用時間または、有機ＥＬ表示部１４０の総使用時間から最大ブライト補正値を算出する。そして、現在ユーザによって設定された青色（Ｂ）のブライト補正値が、算出された最大ブライト補正値よりも大きいか、小さいかを判定する。現在ユーザによって設定された青色（Ｂ）のブライト補正値が、小さい場合は適切な補正がされたと判定して（Ｓ２０７でＹｅｓ）、輝度補正処理を行う（Ｓ２０８）。なお、在ユーザによって設定された青色（Ｂ）のブライト補正値が、大きい場合は適切な補正がされていないと判定してＳ２０８の処理を行わずに図２のフロー図に示す処理を終了する。
【００６８】
輝度補正処理を行う場合（Ｓ２０８）、ＣＰＵ１０１は、図４に示した有機ＥＬ素子のブライト補正値−輝度補正量の関係を示す特性データに基づいて、青色（Ｂ）のブライト補正値に基づいて、赤色（Ｒ）、緑色（Ｇ）の有機ＥＬ素子の輝度を補正する。図４に示すように、青色（Ｂ）のブライト補正値に基づいて、赤色（Ｒ）、緑色（Ｇ）の有機ＥＬ素子の輝度が一律に増加するように、オフセットを加えるように第１の表示制御部１４１を制御する。
【００６９】
なお、本実施例では、図４に示した、有機ＥＬ素子のブライト補正値−輝度補正量の関係を示す特性データに基づいて、青色（Ｂ）のブライト補正値に基づいて、全色の有機ＥＬ素子のオフセット値を決定したが、赤色（Ｒ）成分、緑色（Ｇ）成分の調整値に基づいて、全色の有機ＥＬ素子のオフセット値を決定してもよい。
【００７０】
なお、Ｓ２０３において、液晶ＥＶＦ１７０に有機ＥＬ表示部１４０の初期状態の特定の色を再現させるようにしていたが、必要に応じて液晶ＥＶＦ１７０のバックライトの輝度を調整してもよい。
【００７１】
以上のように、画質調整モードに設定された場合、液晶ＥＶＦ１７０の画質調整パラメータを、有機ＥＬ表示部１４０の初期状態における特定の色を再現することができるパラメータに設定する。そのため、液晶ＥＶＦ１７０に表示された、カラーチャート、サンプル画像は、有機ＥＬ表示部１４０の初期状態の特定の色が再現されている。そのため、ユーザは、液晶ＥＶＦ１７０に表示されたカラーチャート、サンプル画像を確認しながら色の調整を行えるので、調整作業が容易になるという効果を奏することができる。
【００７２】
また、本実施例においては、画質調整モードにおいて、液晶ＥＶＦ１７０の画質調整パラメータを有機ＥＬ表示部１４０の初期状態における特定の色を再現することができるパラメータに設定したが、外部ディスプレイに、再現させてもよい。
【００７３】
（他の実施形態）
上述の実施形態は、システム或は装置のコンピュータ（或いはＣＰＵ、ＭＰＵ等）によりソフトウェア的に実現することも可能である。従って、上述の実施形態をコンピュータで実現するために、該コンピュータに供給されるコンピュータプログラム自体も本発明を実現するものである。つまり、上述の実施形態の機能を実現するためのコンピュータプログラム自体も本発明の一つである。
【００７４】
なお、上述の実施形態を実現するためのコンピュータプログラムは、コンピュータで読み取り可能であれば、どのような形態であってもよい。例えば、オブジェクトコード、インタプリタにより実行されるプログラム、ＯＳに供給するスクリプトデータ等で構成することができるが、これらに限るものではない。上述の実施形態を実現するためのコンピュータプログラムは、記憶媒体又は有線／無線通信によりコンピュータに供給される。プログラムを供給するための記憶媒体としては、例えば、フレキシブルディスク、ハードディスク、磁気テープ等の磁気記憶媒体、ＭＯ、ＣＤ、ＤＶＤ等の光／光磁気記憶媒体、不揮発性の半導体メモリなどがある。
【００７５】
有線／無線通信を用いたコンピュータプログラムの供給方法としては、コンピュータネットワーク上のサーバを利用する方法がある。この場合、本発明を形成するコンピュータプログラムとなりうるデータファイル（プログラムファイル）をサーバに記憶しておく。プログラムファイルとしては、実行形式のものであっても、ソースコードであっても良い。そして、このサーバにアクセスしたクライアントコンピュータに、プログラムファイルをダウンロードすることによって供給する。この場合、プログラムファイルを複数のセグメントファイルに分割し、セグメントファイルを異なるサーバに分散して配置することも可能である。つまり、上述の実施形態を実現するためのプログラムファイルをクライアントコンピュータに提供するサーバ装置も本発明の一つである。
【００７６】
また、上述の実施形態を実現するためのコンピュータプログラムを暗号化して格納した記憶媒体を配布し、所定の条件を満たしたユーザに、暗号化を解く鍵情報を供給し、ユーザの有するコンピュータへのインストールを許可してもよい。鍵情報は、例えばインターネットを介してホームページからダウンロードさせることによって供給することができる。また、上述の実施形態を実現するためのコンピュータプログラムは、すでにコンピュータ上で稼働するＯＳの機能を利用するものであってもよい。さらに、上述の実施形態を実現するためのコンピュータプログラムは、その一部をコンピュータに装着される拡張ボード等のファームウェアで構成してもよいし、拡張ボード等が備えるＣＰＵで実行するようにしてもよい。
【図１】
2014204168.tif 000003
【図２】
2014204168.tif 000004
【図３】
2014204168.tif 000005
【図４】
2014204168.tif 000006
【図５】
2014204168.tif 000007